(57)【要約】【課題】路側器との通信中における収集データの圧縮待ち時間がなくなり、路側器との通信時間を短くすることができる情報収集装置を提供する。【解決手段】収集部２２Ａ１が、新規の収集データを収集データメモリ２２Ｃ１に格納する。圧縮処理部２２Ａ２が、収集データメモリ２２Ｃ１に格納された新規の収集データを圧縮中データバッファ２２Ｃ２にコピーした後に既に圧縮が完了された収集データにコピーした新規の収集データを加えた収集データを圧縮する第１圧縮処理を行い、その後第１圧縮処理が終了すると圧縮中データメモリ２２Ｃ２に格納された圧縮が完了した収集データを圧縮データメモリ２２Ｃ３にコピーする。通信データ制御部２２Ａ３が、第１圧縮処理が行われている間に路側器の通信エリアに進入すると、圧縮データメモリ２２Ｃ３に格納されている収集データを送信した後に、収集データメモリ２２Ｃ１に格納された新規の収集データを送信する。【選択図】図３
2010097308.tif 000002
【特許請求の範囲】
【請求項１】
所定の収集データを収集する収集手段と、前記収集手段による新規の収集データの収集に応じて既に圧縮が完了された収集データに前記新規の収集データを加えた収集データを圧縮する第１圧縮処理を行う圧縮手段と、路側器の通信エリアへの進入に応じて前記路側器に対して前記圧縮手段により圧縮した収集データを無線送信する送信手段と、を備えた情報収集装置において、
前記送信手段が、前記圧縮手段により前記第１圧縮処理が行われている間に前記路側器の通信エリアに進入すると、前記新規の収集データを加える前の前記既に圧縮が完了された収集データを無線送信した後に前記新規の収集データを無線送信する
ことを特徴とする情報収集装置。
【請求項２】
前記圧縮手段が、前記第１圧縮処理中に前記路側器の通信エリアに進入すると、前記第１圧縮処理を終了して前記送信手段により前記既に圧縮が完了された収集データの無線送信を行っている間に、前記新規の収集データを圧縮する第２圧縮処理を行い、
前記送信手段が、前記圧縮手段により前記第１圧縮処理が行われている間に前記路側器の通信エリアに進入すると、前記新規の収集データを加える前の前記既に圧縮が完了された収集データの無線送信を行った後に前記第２圧縮処理により圧縮された前記新規の収集データの無線送信を行う
ことを特徴とする請求項１に記載の情報収集装置。
【請求項３】
前記収集手段が、前記新規の収集データを収集データメモリに格納し、
前記圧縮手段が、前記収集データメモリに前記新規の収集データが格納されると前記新規の収集データを圧縮中データメモリにコピーした後に前記圧縮中データメモリに格納されている前記既に圧縮が完了された収集データに前記コピーした新規の収集データを加えた収集データを圧縮する前記第１圧縮処理を行い、その後前記第１圧縮処理が終了すると前記圧縮中データメモリに格納された圧縮が完了した収集データを圧縮データメモリにコピーし、
前記送信手段が、前記圧縮手段により前記第１圧縮処理が行われている間に前記路側器の通信エリアに進入すると、前記圧縮データメモリに格納されている収集データを送信した後に、前記収集データメモリに格納された前記新規の収集データを送信する
ことを特徴とする請求項１又は２に記載の情報収集装置。
【発明の詳細な説明】
【技術分野】
【０００１】
本発明は、情報収集装置に係り、特に、所定の収集データを収集する収集手段と、前記収集手段による新規の収集データの収集に応じて既に圧縮が完了された収集データに前記新規の収集データを加えた収集データを圧縮する第１圧縮処理を行う圧縮手段と、路側器の通信エリアへの進入に応じて前記路側器に対して前記圧縮手段により圧縮した収集データを無線送信する送信手段と、を備えた情報収集装置に関するものである。
【背景技術】
【０００２】
貨物輸送トラックやタクシーなどの営業車両には、運行管理を行うための情報収集装置が搭載されている。情報収集装置は、車両の運行状況に応じて発生する営業日報データなどの所定の収集データを収集してメモリカードなどの記録媒体に記録するデータ収集を行う。従来、事務所のＰＣに対する上記収集データの受け渡しは下記に示す手順で行われていた。まず、運転手が情報収集装置に設けた終了ボタンを操作する。この操作に応じて情報収集装置が収集データの末尾に収集データを付加する。その後、運転手が情報収集装置からメモリカードを抜き取って、事務所内に持ち込みＰＣに接続する。
【０００３】
しかしながら、この方法では、毎回メモリカードの抜き差しが発生するため、メモリカードの接続部分の劣化が激しく、情報収集装置の寿命が短くなる原因となっていた。また、運転手の操作ミス、メモリカードの抜き忘れなどの問題もある。そこで、例えば情報収集装置と無線通信可能な路側器を事務所の入口に設けて、情報収集装置を搭載した車両が路側器の通信エリアを通信している間に無線通信によって収集データを路側器に転送することが考えられている。しかしながら、メモリカードのデータ量が多いとその分だけの通信時間が必要であり、その間、通信エリアに留まって通信が完了するのを待たなければならない。
【０００４】
そこで、通信時間を短くするために、図８に示すような動作を行う情報収集装置が提案されている。この情報収集装置は、路側器との通信エリアに進入すると、今まで収集した収集データ１〜ｎを一括で圧縮した後に、圧縮した収集データを送信する。しかしながら、この情報収集装置は、収集データを圧縮している間、収集データの送信が行うことができないため、依然通信エリアに留まる時間が長く、効率が悪い。
【０００５】
そこで、図９及び図１０に示すような動作を行う情報収集装置が提案されている。図９に示す情報収集装置は、新規の収集データが収集される毎に圧縮と路側器への送信とを行う（特許文献１）。しかしながら、この情報収集装置は、定期的に路側器との通信が行えるシステムでしか採用できず、路側器が事務所の入口の１箇所にしか設けられていないシステムには採用できない。
【０００６】
また、図１０に示す情報収集装置は、新規の収集データが収集される毎に圧縮を行う。ところで、情報収集装置のようなシステムでは、定期的に収集データが発生する。そのため、収集データが発生してから情報収集装置と路側器との通信開始までの時間が短いと、収集データの圧縮が間に合わない場合がある。この場合、従来では、収集データの圧縮が完了するのを待ってから収集データを路側器に送信していた。しかしながら、データサイズが大きくなると、例えば３Mbyte程度の収集データでは、ハフマン符号のような高速な手法を利用し、処理速度３GHzの高速なプロセッサを用いても、圧縮にかかる時間が数秒も必要なため、従来のように圧縮が完了するのを待つ方法では、相当な待ち時間が必要となる、という問題があった。
【特許文献１】特開２００１−４４９２０号公報
【発明の開示】
【発明が解決しようとする課題】
【０００７】
そこで、本発明は、路側器との通信中における収集データの圧縮待ち時間がなくなり、路側器との通信時間を短くすることができる情報収集装置を提供することを課題とする。
【課題を解決するための手段】
【０００８】
上記課題を解決するためになされた請求項１記載の発明は、所定の収集データを収集する収集手段と、前記収集手段による新規の収集データの収集に応じて既に圧縮が完了された収集データに前記新規の収集データを加えた収集データを圧縮する第１圧縮処理を行う圧縮手段と、路側器の通信エリアへの進入に応じて前記路側器に対して前記圧縮手段により圧縮した収集データを無線送信する送信手段と、を備えた情報収集装置において、前記送信手段が、前記圧縮手段により前記第１圧縮処理が行われている間に前記路側器の通信エリアに進入すると、前記新規の収集データを加える前の前記既に圧縮が完了された収集データを無線送信した後に前記新規の収集データを無線送信することを特徴とする情報収集装置に存する。
【０００９】
請求項２記載の発明は、前記圧縮手段が、前記第１圧縮処理中に前記路側器の通信エリアに進入すると、前記第１圧縮処理を終了して前記送信手段により前記既に圧縮が完了された収集データの無線送信を行っている間に、前記新規の収集データを圧縮する第２圧縮処理を行い、前記送信手段が、前記圧縮手段により前記第１圧縮処理が行われている間に前記路側器の通信エリアに進入すると、前記新規の収集データを加える前の前記既に圧縮が完了された収集データの無線送信を行った後に前記第２圧縮処理により圧縮された前記新規の収集データの無線送信を行うことを特徴とする請求項１に記載の情報収集装置に存する。
【００１０】
請求項３記載の発明は、前記収集手段が、前記新規の収集データを収集データメモリに格納し、前記圧縮手段が、前記収集データメモリに前記新規の収集データが格納されると前記新規の収集データを圧縮中データメモリにコピーした後に前記圧縮中データメモリに格納されている前記既に圧縮が完了された収集データに前記コピーした新規の収集データを加えた収集データを圧縮する前記第１圧縮処理を行い、その後前記第１圧縮処理が終了すると前記圧縮中データメモリに格納された圧縮が完了した収集データを圧縮データメモリにコピーし、前記送信手段が、前記圧縮手段により前記第１圧縮処理が行われている間に前記路側器の通信エリアに進入すると、前記圧縮データメモリに格納されている収集データを送信した後に、前記収集データメモリに格納された前記新規の収集データを送信することを特徴とする請求項１又は２に記載の情報収集装置に存する。
【発明の効果】
【００１１】
以上説明したように請求項１記載の発明によれば、送信手段が、圧縮手段により第１圧縮処理が行われている間に路側器の通信エリアに進入すると、新規の収集データを加える前の既に圧縮が完了された収集データを無線送信した後に新規の収集データを無線送信するので、路側器との通信中における収集データの圧縮待ち時間がなくなり、路側器との通信時間を短くすることができる。
【００１２】
請求項２記載の発明によれば、送信手段が、圧縮手段により第１圧縮処理が行われている間に路側器の通信エリアに進入すると、新規の収集データを加える前の既に圧縮が完了された収集データの無線送信を行った後に第２圧縮処理により圧縮された新規の収集データの無線送信を行うので、さらに路側器との通信時間を短くすることができる。
【００１３】
請求項３記載の発明によれば、簡単な構成で圧縮手段により第１圧縮処理が行われている間に路側器の通信エリアに進入したときに、新規の収集データを加える前の既に圧縮が完了された収集データを無線送信することができる。
【発明を実施するための最良の形態】
【００１４】
第１実施形態
以下、本発明の実施の形態を図面に基づいて説明する。図１は、本発明の情報収集装置２を組み込んだ通信システムの一実施の形態を示す構成図である。図２は、図１に示す情報収集装置２の構成図である。図３は、図２に示す情報収集装置２内のＣＰＵ２２Ａの機能ブロック図である。図４は、図１に示す路側器４の構成図である。
【００１５】
通信システムは、図１に示すように、タクシ車両１に搭載されている情報収集装置２と、タクシ車両１の管理を行う事務所３に設置されている路側器４と、を有している。まず、上記情報収集装置２の構成について図２を参照して説明する。情報収集装置２は、車載アンテナＡＴ１と、無線器２１と、マイクロコンピュータ（μＣＯＭ）２２と、インタフェース（Ｉ／Ｆ）２３と、を有している。
【００１６】
車載アンテナＡＴ１は、タクシ車両１に搭載されたアンテナである。無線器２１は、車載アンテナＡＴ１を用いて後述する路側器４とＤＳＲＣ（Dedicated Shor Range Communication：専用狭域通信）を行い、データを受信したり、送信したりするための機器である。無線器２１は、車載アンテナＡＴ１が受信したデータを復調してμＣＯＭ２２に出力したり、μＣＯＭ２２から出力される送信データを変調して車載アンテナＡＴ１に出力する変復調回路を有している。
【００１７】
μＣＯＭ２２は、処理プログラムに従って各種の処理を行う中央演算処理ユニット（ＣＰＵ）２２Ａと、ＣＰＵ２２Ａが行う処理のプログラムなどを格納した読出専用のメモリであるＲＯＭ２２Ｂと、ＣＰＵ２２Ａでの各種の処理過程で利用するワークエリア、各種データを格納するデータ記憶エリアなどを有する読出書込自在のメモリであるＲＡＭ２２Ｃと、を有している。Ｉ／Ｆ２３は、μＣＯＭ２２内のＣＰＵ２２Ａがタクシメータ５との通信を行うためのインタフェース回路である。
【００１８】
次に、上述した情報収集装置２のＣＰＵ２２Ａの機能構成について図３を参照して説明する。ＣＰＵ２２Ａは、収集手段としての収集部２２Ａ１と、圧縮手段としての圧縮処理部２２Ａ２と、送信手段としての通信データ制御部２２Ａ３と、を有している。
【００１９】
収集部２２Ａ１は、タクシ車両１の賃走時間や料金などの営業日報データに応じた収集データをタクシメータ５から収集して、ＲＡＭ２２Ｃ内に設けた収集データメモリ２２Ｃ１内に格納する。圧縮処理部２２Ａ２は、収集部２２Ａ１により収集データメモリ２２Ｃ１内に新規の収集データが格納されるとその新規の収集データをＲＡＭ２２Ｃ内に設けた圧縮中データメモリとしての圧縮中データバッファ２２Ｃ２にコピーする。なお、圧縮中データバッファ２２Ｃ２内には既に圧縮が完了された今まで収集された収集データが記録されている。よって、圧縮中データバッファ２２Ｃ２には、既に圧縮が完了された収集データと、コピーされた新規の収集データと、が格納される。
【００２０】
また、圧縮処理部２２Ａ２は、圧縮中データバッファ２２Ｃ２に格納された既に圧縮が完了された収集データにコピーした新規の収集データを加えた収集データを一括して動的圧縮を行う第１圧縮処理を実行する。
【００２１】
上記動的圧縮とは、新規の収集データが発生すると、新規の収集データを構成するコードを読み込む毎に符号木を更新し、そのときの符号木を使って圧縮する方法である。例えば、営業時刻情報の、月、日、時間と分とをそれぞれ、１byteのデータで記録するものとし、料金は２桁ずつ１byteのデータで記録するフォーマットを規定する。このとき、10月10日10時10分に料金1000円であった場合、収集データは、10,10,10,10,10,00となる。動的圧縮は、この収集データを構成するコード「10」、「10」、「10」、「10」、「10」、「00」を順番に読み込み、コードを１つ読み込む毎に符号木を更新し、そのときの符号木を使って圧縮する。このように新規の収集データを構成するコードを読み込む毎に符号木を更新するため、収集データを読み込みながら圧縮処理を行うことができる。このような動的圧縮方法としては、動的ハフマン符号化（Dynamic Huffman Coding）または適応型ハフマン符号法（Adaptive Huffman Coding）などが考えられる。
【００２２】
圧縮とは、データの冗長性や偏りを利用して情報量（エントロピー）を減らすことである。有名な圧縮方法として、ハフマン符号法がある。これは、もっとも出現頻度の高いデータには短い符号を与え、出現頻度の低いデータには長い符号を与えることで、全体の平均符号長を短くすることで圧縮を行うものである。つまり、圧縮の定義のとおり、圧縮対象データに偏りがあればより高い圧縮率が得られ、偏りがあまりない場合は圧縮率が低くなる。さらに、偏りがないと全く圧縮の効果が得られないことになる。
【００２３】
単純な例として、ハフマン符号ではなく、データの連続性を示す圧縮方法を示す。上述したように、営業時刻情報の、月、日、時間と分とをそれぞれ、１byteのデータで記録するものとし、料金は２桁づつ１byteのデータで記録するフォーマットを規定する。このとき、10月10日10時10分に料金1000円であった場合、収集データは、10,10,10,10,10,00となる。この場合の圧縮後の収集データは、10,5,00,1の４byteで表現できる。次に、10月10日10時20分に2000円であった場合、収集データは、10,10,10,20,20,00となる。この場合の圧縮後の収集データは、10,3,20,2,00,1の6byteの表現となる。この２つの例のように、同じデータ系列でもその内容によって圧縮率が大きく変わるだけでなく、２つ目のデータのように圧縮できないこともある。
【００２４】
圧縮中データバッファ２２Ｃ２には、第１圧縮処理中の収集データが格納される。また、圧縮処理部２２Ａ２は、第１圧縮処理が終了すると収集データメモリ２２Ｃ１に格納された圧縮が済んだ新規の収集データを消去すると共に圧縮中データバッファ２２Ｃ２に格納された圧縮が完了した収集データを圧縮データメモリ２２Ｃ３に上書きコピーする。以上のことから明らかなように、圧縮処理部２２Ａ２が第１圧縮処理を実行している間は、収集データメモリ２２Ｃ１には圧縮が済んでいない新規の収集データが格納され、圧縮中データバッファ２２ｃ２には第１圧縮処理中の収集データが格納され、圧縮データメモリ２２Ｃ３には新規の収集データを加える前の既に圧縮が完了された収集データが格納される。
【００２５】
上記通信データ制御部２２Ａ３は、圧縮処理部２２Ａ２により第１圧縮処理が行われていないときにタクシ車両１が路側器４の通信エリア７に進入して無線器２１が路側器４との通信を開始すると、圧縮データメモリ２２Ｃ３内に格納された既に圧縮が完了された収集データを無線器２１に対して出力して無線送信する。また、通信データ制御部２２Ａ３は、圧縮処理部２２Ａ２により第１圧縮処理が行われている間にタクシ車両１が路側器４の通信エリア７に進入して無線器２１が路側器４との通信を開始すると、圧縮データメモリ２２Ｃ３内に格納された既に圧縮が完了された収集データを無線器２１に対して出力して無線送信した後にさらに新規データメモリ２２Ｃ１に格納された新規の収集データを無線器２１に対して出力して無線送信する。
【００２６】
次に、上記路側器４の構成について図４を参照して説明する。路側器４は、路側アンテナＡＴ２と、無線器４１と、μＣＯＭ４２と、Ｉ／Ｆ４３と、を有している。路側アンテナＡＴ２は、図１に示すように、事務所３の入口６に通信エリア７を形成するアンテナである。事務所３に入るタクシ車両１は、必ずこの通信エリア７を通過することとなる。無線器４１は、路側アンテナＡＴ２を用いて上記情報収集装置２とＤＳＲＣを行い、データを受信したり、送信したりするための機器である。無線器４１は、路側アンテナＡＴ２が受信したデータを復調してμＣＯＭ４２に出力したり、μＣＯＭ４２から出力される送信データを変調して路側アンテナＡＴ２に出力する変復調回路を有している。
【００２７】
μＣＯＭ４２は、処理プログラムに従って各種の処理を行うＣＰＵ４２Ａと、ＣＰＵ４２Ａが行う処理のプログラムなどを格納した読出専用のメモリであるＲＯＭ４２Ｂと、ＣＰＵ４２Ａでの各種の処理過程で利用するワークエリア、各種データを格納するデータ記憶エリアなどを有する読出書込自在のメモリであるＲＡＭ４２Ｃと、を有している。Ｉ／Ｆ４３は、μＣＯＭ４２内のＣＰＵ４２Ａが事務所３側のＰＣ（パーソナルコンピュータ）などから構成された管理装置８との通信を行うためのインタフェース回路である。管理装置８は、転送された収集データを例えばプリンタなどの出力端末９から出力する。
【００２８】
上述した構成の通信システムの動作について図５のフローチャート及び図６のタイムチャートを参照して以下説明する。まず、タクシ車両１のイグニッションがオンされると、ＣＰＵ２２Ａが図５に示す処理を開始する。その後、タクシ車両１は事務所３の出口から事務所３を出て営業を開始する。ＣＰＵ２２Ａは、営業時には路側器４から送信される電波を受信できないため通信エリア７に進入していないと判断して（ステップＳ１でＮ）、ステップＳ７〜Ｓ１２が繰り返し行われる。
【００２９】
詳しくは、ＣＰＵ２２Ａは、賃走時間や料金などの新規の収集データがタクシメータ５で発生すると（ステップＳ７でＹ）、その新規の収集データを収集データメモリ２２Ｃ１内に格納する（ステップＳ８）。以上のことから明らかなように、ステップＳ７及びＳ８においてＣＰＵ２２Ａは収集手段として働く。その後、ＣＰＵ２２Ａは、収集データメモリ２２Ｃ１内に格納された新規の収集データを圧縮中データバッファ２２Ｃ２内にコピーする（ステップＳ９）。次に、ＣＰＵ２２Ａは、上述した第１圧縮処理を開始させた後（ステップＳ１０）、ステップＳ１１に進む。このステップＳ１０の第１圧縮処理開始に応じて、ＣＰＵ２２Ａは、図５に示す処理と並列して上述した第１圧縮処理を実行する。
【００３０】
これに対して、ＣＰＵ２２Ａは、新規の収集データが発生していなければ（ステップＳ７でＮ）、直ちにステップＳ１１に進む。ステップＳ１１において、ＣＰＵ２２Ａは、第１圧縮処理が実行中であるか否かを判断する。そして、第１圧縮処理が実行中でなければ（ステップＳ１１でＮ）、ＣＰＵ２２Ａは、第１圧縮処理が終了後に後述するステップＳ１３の動作が実行された状態であるか否かを判断する（ステップＳ１２）。
【００３１】
第１圧縮処理が終了後に後述するステップＳ１３の動作が実行されていない状態であれば（ステップＳ１２でＮ）、ＣＰＵ２２Ａは、収集データメモリ２２Ｃ１内に格納された圧縮が完了した新規の収集データを消去すると共に圧縮中データバッファ２２Ｃ２内に格納された圧縮済みの収集データを圧縮データメモリ２２Ｃ３内に上書きした後（ステップＳ１３）、ステップＳ１１に戻る。これに対して、ＣＰＵ２２Ａは、第１圧縮処理が終了後に後述するステップＳ１３の動作が実行された状態であれば（ステップＳ１２でＹ）、直ちにステップＳ１に戻る。以上のことから明らかなように、ステップ９〜Ｓ１３において、ＣＰＵ２２Ａは圧縮手段として働く。
【００３２】
その後、タクシ車両１が営業を終えて、事務所３内の入口６に進入すると、情報処理装置２は、路側器４からの電波を受け取る。これに応じて、ＣＰＵ２２Ａは、通信エリア７に進入して通信が開始されたと判断して（ステップＳ１でＹ）、上述した第１圧縮処理が実行中であるか否かを判断する（ステップＳ２）。第１圧縮処理が実行されていなければ（ステップＳ２でＮ）、ＣＰＵ２２Ａは、無線器２１に対して圧縮中データメモリ２２Ｃ３内に格納された収集データを出力して送信した後（ステップＳ６）、処理を終了する。
【００３３】
一方、第１圧縮処理が実行中であれば（ステップＳ２でＹ）、ＣＰＵ２２Ａは、並列に行われている第１圧縮処理を直ちに中止させる（ステップＳ３）。この圧縮中止に応じてＣＰＵ２２Ａは第１圧縮処理を終了する。その後、ＣＰＵ２２Ａは、無線器２１に対して圧縮中データメモリ２２Ｃ３内に格納された収集データを出力して送信した後（ステップＳ４）、収集データメモリ２２Ｃ１内に格納された収集データを出力して送信した後（ステップＳ５）、処理を終了する。以上のことから明らかなように、ステップＳ１〜Ｓ６においてＣＰＵ２２Ａは送信手段として働く。
【００３４】
以上の動作により、情報収集装置２は、図６に示すように、新規の収集データが収集される毎に圧縮を行う。そして、圧縮中に路側器４との通信が開始されると、圧縮データメモリ２２Ｃ３内に格納された新規の収集データを加える前の既に圧縮が完了された収集データを無線送信した後に収集データメモリ２２Ｃ１に格納されている新規の収集データを送信する。これにより、路側器４との通信中における収集データの圧縮待ち時間がなくなり、路側器４との通信時間を短くすることができる。
【００３５】
また、上述した情報収集装置２によれば、ＣＰＵ２２Ａが、新規の収集データを新規収集データメモリ２２Ｃ１に格納する。また、ＣＰＵ２２Ａが、新規収集データメモリ２２Ｃ１に新規の収集データが格納されると新規の収集データを圧縮中データバッファ２２Ｃ２にコピーした後に第１圧縮処理を行い、その後第１圧縮処理が終了すると圧縮中データバッファ２２Ｃ２に格納された圧縮が完了した収集データを圧縮データメモリ２２Ｃ３にコピーする。そして、第１圧縮処理が行われている間に路側器４の通信エリア７に進入すると、圧縮データメモリ２２Ｃ３に格納されている収集データを送信した後に、収集データメモリ２２Ｃ１に格納された新規の収集データを送信する。よって、簡単な構成で第１圧縮処理が行われている間に路側器４の通信エリア７に進入したときに、新規の収集データを加える前の既に圧縮が完了された収集データを無線送信することができる。
【００３６】
第２実施形態
次に、第２実施形態について説明する。第１実施形態においては動的圧縮で収集データを収集していたが、第２実施形態では静的圧縮で収集データを圧縮する。第２実施形態の情報収集装置２の構成は、図１及び図４について第１実施形態で既に説明した情報収集装置２と同様の構成であるため、ここでは詳細な説明は省略する。
【００３７】
次に、上記静的圧縮について説明する。静的圧縮は、新規の収集データが発生すると新規の収集データを全て読み込んで符号木を作成し、その後作成した符号木を使って圧縮する方法である。例えば、営業時刻情報の、月、日、時間と分とをそれぞれ、１byteのデータで記録するものとし、料金は２桁ずつ１byteのデータで記録するフォーマットを規定する。このとき、10月10日10時10分に料金1000円であった場合、収集データは、10,10,10,10,10,00となる。動的圧縮は、この収集データ「10,10,10,10,10,00」を全て読み込んで、符号木を作成し、そのときの符号木を使って圧縮する。このように収集データを全て読み込んだ後に符号木を作成するため、静的圧縮は収集データの読み込みと圧縮処理とを同時に行うことができない。
【００３８】
次に、第２実施形態における通信システムの動作について図７のフローチャートを参照して以下説明する。なお、同図において、図５について上述した第１実施形態で既に説明したステップと同等の動作には同一符号を付してその詳細な説明を省略する。まず、タクシ車両１のイグニッションがオンされると、ＣＰＵ２２Ａが図６に示す処理を開始する。その後、タクシ車両１は事務所３の出口から事務所３を出て営業を開始する。ステップＳ１〜Ｓ６までは上述した第１実施形態と同様であるためここでは詳細な説明は省略する。
【００３９】
ＣＰＵ２２Ａは、賃走時間や料金などの新規の収集データがタクシメータ５で発生すると（ステップＳ７でＹ）、その新規の収集データを収集データメモリ２２Ｃ１内に格納する（ステップＳ８）。その後、ＣＰＵ２２Ａは、上述した第１圧縮処理が実行中であるか否かを判断する（ステップＳ１４）。第１圧縮処理が実行中でなければ（ステップＳ１４でＮ）、ＣＰＵ２２Ａは、収集データメモリ２２Ｃ１内に格納された新規の収集データを圧縮中データバッファ２２Ｃ２内にコピーする（ステップＳ９）。次に、ＣＰＵ２２Ａは、上述した第１圧縮処理を開始させた後（ステップＳ１０）、ステップＳ１１〜Ｓ１３に進む。Ｓ１１〜Ｓ１３までは上述した第１実施形態と同様であるためここでは詳細な説明は省略する。
【００４０】
これに対して、第１圧縮処理が実行中であれば（ステップＳ１４でＹ）、その新規の収集データの圧縮中データバッファ２２Ｃ２へのコピーを行わずに直ちにステップＳ１に戻る。そして、この実行中の第１圧縮処理が終了して、ステップＳ１３に進みＣＰＵ２２Ａが、収集データメモリ２２Ｃ１内に格納された圧縮が完了した新規の収集データを消去すると共に圧縮中データバッファ２２Ｃ２内に格納された圧縮済みの収集データを圧縮データメモリ２２Ｃ３内に上書きした後に、収集データメモリ２２Ｃ１に圧縮されていない収集データが残っていないか確認する（ステップＳ１５）。
【００４１】
収集データが残っていれば（ステップＳ１５でＹ）、ＣＰＵ２２ＡはステップＳ９に進んで残りの収集データを圧縮中データバッファ２２Ｃ２内にコピーして、ステップＳ１０に進み第１圧縮処理を開始させる。一方、収集データが残っていなければ（ステップＳ１５でＮ）、ＣＰＵ２２ＡはステップＳ１に戻る。第１実施形態では、収集データが発生する毎に新規の収集データを圧縮中データバッファ２２Ｃ２にコピーしていたが、第２実施形態では、収集データが発生しても第１圧縮処理が実行中であれば第１圧縮処理が終了するのを待って圧縮中データバッファ２２Ｃ２へのコピーが行われ再び第１圧縮処理が行われる。よって、収集データの取り込みと圧縮とが同時に行えない静的圧縮に適用した動作となっている。
【００４２】
なお、上述した第１及び第２実施形態では、新規の収集データは圧縮しないで路側器４に対して無線送信していたが、本発明はこれに限ったものではない。例えば、ステップＳ３で第１圧縮処理を中止した後、新規の収集データのみを圧縮する第２圧縮処理を行っても良い。この第２圧縮処理を施した新規の収集データを収集データメモリ２２Ｃ１に格納すれば、圧縮した新規の収集データを路側器４に対して無線送信することができる。第２圧縮処理は、既に圧縮が完了された収集データの送信を行っている間に行うことができるため、より一層、通信時間を短くすることができる。
【００４３】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４４】
【図１】本発明の情報収集装置を組み込んだ通信システムの一実施の形態を示す構成図である。
【図２】図１に示す情報収集装置の構成図である。
【図３】図２に示す情報収集装置内のＣＰＵの機能ブロック図である。
【図４】図１に示す路側器の構成図である。
【図５】図１に示す情報収集装置内のＣＰＵの処理手順を示すフローチャートである。
【図６】図１に示す情報収集装置の動作を説明するためのタイムチャートである。
【図７】第２実施形態における図１に示す情報収集装置内のＣＰＵの圧縮処理手順を示すフローチャートである。
【図８】従来の情報収集装置の動作を説明するためのタイムチャートである。
【図９】従来の情報収集装置の動作を説明するためのタイムチャートである。
【図１０】従来の情報収集装置の動作を説明するためのタイムチャートである。
【符号の説明】
【００４５】
２          情報収集装置
４          路側器
７          通信エリア
２２Ａ      ＣＰＵ（収集手段、圧縮手段、送信手段）
２２Ａ１    収集部（収集手段）
２２Ａ２    圧縮処理部（圧縮手段）
２２Ａ３    通信データ制御部（送信手段）
２２Ｃ１    収集データメモリ
２２Ｃ２    圧縮中データバッファ（圧縮中データメモリ）
２２Ｃ３    圧縮データメモリ
【図１】
2010097308.tif 000003
【図２】
2010097308.tif 000004
【図３】
2010097308.tif 000005
【図４】
2010097308.tif 000006
【図５】
2010097308.tif 000007
【図６】
2010097308.tif 000008
【図７】
2010097308.tif 000009
【図８】
2010097308.tif 000010
【図９】
2010097308.tif 000011
【図１０】
2010097308.tif 000012